(57)【要約】      （修正有）【課題】ユーザとマシンとの間の情動的な関係を育てるための固有のユーザインターフェースを提供する。【解決手段】文書処理装置２０４のプロセッサは、文書処理装置２０４のマシン／ジョブ状態を自動的に判定する。ジョブ／ステータスデータは、文書処理装置２０４のマルチパート画面の第１の表示部２４２に自動的に表示される。マシン／ジョブ状態を示すグラフィックアイテムは、文書処理装置２０４のマルチパート画面の第２の表示部２４４のみに表示される。グラフィックアイテムは、顔の表情２４６Ａ、工学アイコン及び／又は数学アイコンなどを使用して文書処理装置のマシン／ジョブ状態を示す。【選択図】図１
2020102205.tif 000002
【特許請求の範囲】
【請求項１】
装置であって、
文書処理装置と、
前記文書処理装置の外面に接続されたユーザインターフェースであって、前記ユーザインターフェースが、異なる平面内にある少なくとも２つの平面表示部を有する画面を含む、ユーザインターフェースと、
前記画面に作動的に接続されたプロセッサと、を備え、
前記プロセッサは、前記少なくとも２つの平面表示部の第１の表示部に自動的にデータを表示させるように適合されており、
前記プロセッサは、前記少なくとも２つの平面表示部の第２の表示部に、自動的に、前記文書処理装置のマシン／ジョブ状態を示すグラフィックアイテムのみを表示させるように適合されている、装置。
【請求項２】
前記グラフィックアイテムが、顔の表情を使用して前記文書処理装置の前記マシン／ジョブ状態を示す、請求項１に記載の装置。
【請求項３】
前記グラフィックアイテムが、工学アイコン及び数学アイコンを使用して前記文書処理装置の前記マシン／ジョブ状態を示す、請求項１に記載の装置。
【請求項４】
前記文書処理装置の前記マシン／ジョブ状態が、エラー状態、警告状態、アクティブ処理状態、及び処理完了状態を含む、請求項１に記載の装置。
【請求項５】
前記文書処理装置は、前記文書処理装置が載置されている表面に隣接した底部と、前記底部の反対側の頂部と、前記頂部と前記底部との間にあり、かつ前記頂部及び前記底部にほぼ垂直な側部と、を有し、
前記第１の表示部が前記頂部上に位置付けられており、前記第２の表示部が前記側部のうちの１つの上に位置付けられている、請求項１に記載の装置。
【請求項６】
前記少なくとも２つの平面表示部が互いに平行ではない、請求項１に記載の装置。
【請求項７】
前記少なくとも２つの平面表示部が異なるサイズである、請求項１に記載の装置。
【請求項８】
装置であって、
文書処理装置と、
前記文書処理装置の外面の少なくとも２つの平行ではない表面に接続された湾曲したユーザインターフェースであって、前記ユーザインターフェースが、少なくとも２つの平面表示部を有する画面を含む、湾曲したユーザインターフェースと、
前記画面に作動的に接続されたプロセッサと、を備え、
前記プロセッサは、前記少なくとも２つの平面表示部の第１の表示部に自動的にデータを表示させるように適合されており、
前記プロセッサは、前記少なくとも２つの平面表示部の第２の表示部に、自動的に、前記文書処理装置のマシン／ジョブ状態を示すグラフィックアイテムのみを表示させるように適合されている、装置。
【請求項９】
前記グラフィックアイテムが、顔の表情を使用して前記文書処理装置の前記マシン／ジョブ状態を示す、請求項８に記載の装置。
【請求項１０】
前記グラフィックアイテムが、工学アイコン及び数学アイコンを使用して前記文書処理装置の前記マシン／ジョブ状態を示す、請求項８に記載の装置。
【請求項１１】
前記文書処理装置の前記マシン／ジョブ状態が、エラー状態、警告状態、アクティブ処理状態、及び処理完了状態を含む、請求項８に記載の装置。
【請求項１２】
前記文書処理装置は、前記文書処理装置が載置されている表面に隣接した底部と、前記底部の反対側の頂部と、前記頂部と前記底部との間にあり、かつ前記頂部及び前記底部にほぼ垂直な側部と、を有し、
前記第１の表示部が前記頂部上に位置付けられており、前記第２の表示部が前記側部のうちの１つの上に位置付けられている、請求項８に記載の装置。
【請求項１３】
前記第２の表示部が、前記文書処理装置が載置されている前記表面にほぼ垂直である、請求項１２に記載の装置。
【請求項１４】
前記少なくとも２つの平面表示部が異なるサイズである、請求項８に記載の装置。
【請求項１５】
方法であって、
文書処理装置のプロセッサによって、前記文書処理装置のマシン／ジョブ状態を判定することであって、前記文書処理装置が、前記文書処理装置の外面に接続されたユーザインターフェースを含み、前記ユーザインターフェースが、異なる平面内にある少なくとも２つの平面表示部を有する画面を含む、ことと、
前記少なくとも２つの平面表示部の第１の表示部上にデータを表示することと、
前記文書処理装置の前記マシン／ジョブ状態を示すグラフィックアイテムのみを前記少なくとも２つの平面表示部の第２の表示部上に表示することと、を含む、方法。
【請求項１６】
前記グラフィックアイテムを前記表示することが、顔の表情を使用して前記文書処理装置の前記マシン／ジョブ状態を示す、請求項１５に記載の方法。
【請求項１７】
前記グラフィックアイテムを前記表示することが、工学アイコン及び数学アイコンを使用して前記文書処理装置の前記マシン／ジョブ状態を示す、請求項１５に記載の方法。
【請求項１８】
前記グラフィックアイテムを前記表示することが、エラー状態、警告状態、アクティブ処理状態、及び処理完了状態をグラフィカルに表示することによって前記マシン／ジョブ状態を示す、請求項１５に記載の方法。
【請求項１９】
前記文書処理装置は、前記文書処理装置が載置されている表面に隣接した底部と、前記底部の反対側の頂部と、前記頂部と前記底部との間にあり、かつ前記頂部及び前記底部にほぼ垂直な側部と、を有し、
前記第１の表示部が前記頂部上に位置付けられており、前記第２の表示部が前記側部のうちの１つの上に位置付けられている、請求項１５に記載の方法。
【請求項２０】
前記少なくとも２つの平面表示部が、互いに平行ではなく、かつ異なるサイズである、請求項１５に記載の方法。
【発明の詳細な説明】
【技術分野】
【０００１】
本明細書のシステム及び方法は、全般的に文書処理に関し、より詳細には、マルチパート画面を使用して、文書処理ステータスを英数字で及びグラフィカルに表示することに関する。
【０００２】
マシンインターフェースへのユーザ満足度は、ユーザマシン格付けの強力な決定要因である。歴史的に、ユーザインターフェースは、様々な形態のキーボード入力と組み合わされた、データを英数字で提示する表示画面を含む。タッチスクリーン及び音声認識を利用して、使い易さを改善し、ユーザの総合的なマシン満足度を高めることによって、進歩がなされてきた。
【０００３】
しかしながら、ユーザインターフェースの有用性を高めるための過去の試みは、歴史的に、文書処理マシンの画面にデータを入力し、その画面からデータを受信するためのより良好な方法を見つけることに限定されており、これにより、そのようなマシンに対する高いレベルのユーザ満足度を達成する能力は制限されている。
【０００４】
本明細書の様々な装置は、（数ある構成要素の中で特に）文書処理装置、及び文書処理装置の外面の少なくとも２つの平行ではない表面に接続されたユーザインターフェースを含む。より具体的には、ユーザインターフェースは、異なるサイズであり得る少なくとも２つの平面表示部（例えば、第１の表示部及び第２の表示部）を有するマルチパート（例えば、湾曲した、マルチパートなど）の画面を含み、平面表示部のそれぞれは、情報を別様に表示する。
【０００５】
明確にするために、文書処理装置は、文書処理装置が載置されている表面（例えば、床）に隣接した（かつ可能であればそれと平行な）底部と、底部の反対側の頂部と、頂部及び底部にほぼ垂直であり得る頂部と底部との間の側部と、を有するものと見なされる。本明細書のいくつかの例では、このマルチパート画面は、頂部、及び側部のうちの１つに沿って（並びに頂部とその側部との間の角に沿って）広がる。したがって、第１の表示部は、頂部の上に（又は少なくとも頂部の位置に（頂部に近接して）若しくは頂部とほぼ平行（例えば、頂部と２０％以内の平行）に）位置付けられると言うことができ、一方、第２の表示は、第１の表示部と連続に見えるように、側部のうちの１つの上に（又は少なくともその側部とほぼ平行（例えば、その側部と２０％以内の平行）に）、その側部が頂部に接する領域に隣接して位置付けられると言うことができる。したがって、第２の表示部は、床に対してほぼ垂直（例えば、２０％以内の垂直）であると言うことができる。
【０００６】
更に、プロセッサが、画面に作動的に接続されている。プロセッサは、第１の表示部に自動的にジョブデータ（例えば、文書処理動作のパラメータ／ステータスの詳細を提供する英数字）などのデータを表示させるように適合されている。対照的に、プロセッサは、第２の表示部に、自動的に、文書処理装置のマシン／ジョブ状態を示すグラフィックアイテムのみを表示させるように適合されている。文書処理装置のマシン／ジョブ状態は、エラー状態、警告状態、アクティブ処理状態、及び処理完了状態に関連し得る。いくつかの例では、グラフィックアイテムは、顔の表情、工学アイコン及び／又は数学アイコンなどを使用して、これらのマシン／ジョブ状態を示すことができる。
【０００７】
そのため、本明細書の様々な方法は、プロセッサを使用して、文書処理装置のマシン／ジョブ状態を自動的に判定する。これらの方法は、自動的にジョブ／ステータスデータを第１の表示部に表示し、マシン／ジョブ状態を示すグラフィックアイテムを第２の表示部のみに表示する。ここでも、文書処理装置のマシン／ジョブ状態を示すグラフィックアイテムを表示するプロセスは、顔の表情、工学アイコン及び／又は数学アイコンなどを使用して実行され得る。したがって、グラフィックアイテムを表示するこのプロセスは、エラー状態、警告状態、アクティブ処理状態、処理完了状態などをグラフィカルに表示することによってマシン／ジョブ状態を示す。
【０００８】
これらの特徴及び他の特徴は、以下の詳細な説明に記載されるか、又はそれから明らかである。
【図面の簡単な説明】
【０００９】
【図１】本明細書のデバイスを示す透視概略図である。
【図２】本明細書のデバイスを示す透視概略図である。
【図３】本明細書のデバイスを示す透視概略図である。
【図４】本明細書のデバイスを示す透視概略図である。
【図５】本明細書のデバイスを示す透視概略図である。
【図６】本明細書のデバイスを示す透視概略図である。
【図７】本明細書のデバイスを示す透視概略図である。
【図８】本明細書のデバイスを示す透視概略図である。
【図９】本明細書のデバイスを示す透視概略図である。
【図１０】本明細書の様々な方法のフロー図である。
【図１１】本明細書のシステムを示す概略図である。
【図１２】本明細書のデバイスを示す概略図である。
【図１３】本明細書のデバイスを示す概略図である。
【発明を実施するための形態】
【００１０】
上述したように、グラフィックインターフェースのユーザフレンドリ性及び有用性を高めるための過去の試みは、歴史的に、画面／キーボードからデータを出力し、画面／キーボードにデータを受信するためのより良好な方法を見つけることに限定されており、これは（数ある要因の中で特に）、より高いレベルの総合的なユーザ満足度を達成するマシンの能力を制限してきた。ユーザ満足度レベルを押し上げるために、本明細書のシステム、方法、及び装置は、ユーザとマシンとの間の情動的な関係を育てるための固有のユーザインターフェースを提供する。ユーザは、一緒に作業する機器を「好き」になると、作業時の幸福度が増し、自身の職への満足度が高まる。
【００１１】
具体的には、本明細書に開示されるシステム、方法、及び装置は、ユーザに感情的又は情動的なマシン状態を伝達するために、マルチパート画面を使用して、文書処理ステータスを英数字で及びグラフィカルに別個に表示する。これは、マシンとユーザとの間の情動的な結び付きを促進し、ユーザが機器を「好き」になるのに役立つ。ユーザとマシンとの間に情動的な結び付きを作り出すことは、総合的なユーザ満足度を、単に改善された画面ベースのデータ入力及び出力を使用するだけでは達成することのできないレベルにまで高める。
【００１２】
より具体的には、本明細書に開示されるシステム、方法、及び装置は、文書処理装置のマシン／ジョブ状態（例えば、エラー状態、警告状態、アクティブ処理状態、処理完了状態など）を自動的に判定する。次いで、これらのシステム、方法、及び装置は、自動的にそのようなジョブ／ステータスデータを第１の表示部に英数字で表示し、マシン／ジョブ状態を示す感情的なグラフィックアイテムを第２の表示部のみに表示する。このマシン／ジョブ状態を示す感情的なグラフィックアイテムの表示は、情動的な出力を文書処理装置に提供するために、顔の表情、工学アイコン及び／又は数学アイコンなどを使用して行われ得る。
【００１３】
感情的な表示は、文書処理デバイスが、それにより、現在のマシン／ジョブ状態と一致する「感情」及び「情動」を（人工的なものではあるが）ユーザに主観的に伝達することを可能にするものであり、これは、ユーザがマシンに情動的につながることを可能にし、ユーザが、文書処理装置に対して理解の感情を生じ、マシンと情動的に結び付くことの主観的な動機付けとなる。そのような情動的なマシンとの結び付きは、ユーザが他の人間、ペット、及び／又は他の生きている（生命のある）単位体との間で経験する情動的な結び付きとは明らかに異なるが、歴史的に、玩具、自動車、産業／農業機器などを含む多くの種類のマシン／デバイス（生命のない物体）との間で生じてきた。例えば、自動車設計者は、マシンをユーザと情動的につなげるために、愛嬌、強靱性、積極性などの特定の顔（目、口）の感情表出状態を表現する自動車及びトラックのグリル／ヘッドライトを作製することを日頃から試みている。
【００１４】
自動車のグリル／ヘッドライト内での愛嬌、強靱性、積極性などは静的であるが、それに対して、本明細書の装置のマルチパート画面上に表示される顔の表情、工学アイコン及び／又は数学アイコンなどは、マシン情動をユーザにより十分に伝達するために、及び情動的な結び付きを促進するために、マシン／ジョブ状態が変化するのに応じて変化する。
【００１５】
例えば、ユーザは、プロジェクトを完了したときの過去の幸福体験を有するはずであり、マシンの笑顔アイコンの表示（文書処理ジョブの完了時にマシンの幸福の情動的状態を伝達する）は、ユーザが、プロジェクトを完了したときの自身の現実の情動的感情を想起することによってマシンの（人工的な）「幸福」を共有することを可能にし得る。ユーザとマシンとの経時的な多数の接点でのこの同じ情動体験（人間の過去に経験した現実の情動とマシンの現在の人工的な情動）の「共有」は、少しずつマシンとユーザとの間の増大した情動的な結び付きに向かって作用する。同様に、紙詰まり又は他のエラーを経験したときにマシンが渋面を表示すると、ユーザは、目標の達成に向かう途中で困難に遭遇したときに経験した同様の情動を想起することができ、ユーザはマシンと情動を共有することを促進され、それにより、結び付きを増大させる。
【００１６】
経時的に、ユーザは、実際に経験した「現実」の情動を想起することができ、それらをマシンによって生成されている合成の情動的アイコンと合わせることができるため、ユーザは、マシンと情動を共有し、それにより、マシンと情動的に結び付くことを感じることができる。情動的な結び付きは、マシンに対するユーザ満足度を高めることができ、これにより、ユーザは、マシンをより幸福に使用することができるようになる。したがって、実施される活動が同じであったとしても、「嫌い」な自動車ではなく「好き」な自動車で旅行に行くとより幸福であり得るように、ユーザは、一緒に作業するマシンが「好き」であることにより、一日がより楽しいものになり得る。
【００１７】
図面を参照すると、本明細書の様々な装置又はシステムは、（数ある構成要素の中で特に）文書処理装置２００及び／又は２０４（例えば、図１〜図４及び図１２〜図１３を参照されたい）と、文書処理装置２０４の外面の少なくとも２つの平行ではない表面に接続されたユーザインターフェース２１２とを含む。図１〜図９により具体的に示されるように、ユーザインターフェース２１２は、異なるサイズであり得る少なくとも２つの平面表示部（例えば、第１の表示部２４２及び第２の表示部２４４）を有するマルチパート（例えば、湾曲した、マルチパートなど）の画面２４０を含み、平面表示部のそれぞれは、情報を別様に表示する。
【００１８】
明確にするために、文書処理装置２００及び／又は２０４（例えば、図１〜図４及び図１２〜図１３を参照されたい）は、文書処理装置２０４が載置されている表面（例えば、床）に隣接した（かつ可能であればそれと平行な）底部２０４Ｃと、底部２０４Ｃの反対側の頂部２０４Ａと、頂部２０４Ａ及び底部２０４Ｃにほぼ垂直であり得る頂部２０４Ａと底部２０４Ｃとの間の側部２０４Ｂと、を有するものと見なされる。
【００１９】
図１〜図４により明確に示されるように、このマルチパート画面２４０は、頂部２０４Ａ、及び側部２０４Ｂのうちの１つに沿って（並びに頂部２０４Ａとその側部２０４Ｂとの間の角に沿って）広がる。したがって、第１の表示部２４２は、頂部２０４Ａの上に（又は少なくとも頂部２０４Ａの位置に、若しくはこれに近接して、又は頂部２０４Ａとほぼ平行に）位置付けられると言うことができ、一方、第２の表示２４４は、第１の表示部２４２と連続に見えるように、側部２０４Ｂのうちの１つの上に（又は少なくともその側部２０４Ｂとほぼ平行に）、その側部２０４Ｂが頂部２０４Ａに接する領域に隣接して位置付けられると言うことができる。したがって、第２の表示部２４４は、床に対してほぼ垂直であると言うことができる。用語「ほぼ」は、絶対関係（平行、垂直など）の特定の尺度（例えば、５％、１０％、２０％など）内を意味する。
【００２０】
また、プロセッサ２１６／２２４（例えば、図１２〜図１３を参照されたい）は、ユーザインターフェース２１２及び画面２４０に作動的に接続されている。プロセッサ２１６／２２４は、第１の表示部２４２に自動的にジョブデータ（例えば、文書処理動作のパラメータ／ステータスの詳細を提供する英数字）などのデータを表示させるように適合されている。例えば、図１〜図４は、作成されているコピーの数、シートの向き、ステープル留めが選択されていることを示すために英数字を使用している第１の表示部２４２を示している。図１〜図４の第１の表示部２４２はまた、「ジョブ完了（ｊｏｂ  ｃｏｍｐｌｅｔｅ）」ステータス（図１）、「紙詰まり（ｐａｐｅｒ  ｊａｍ）」ステータス（図２）、「ジョブの処理中（ｐｒｏｃｅｓｓｉｎｇ  ｊｏｂ）」ステータス（図３）、及び「システムエラー（ｓｙｓｔｅｍ  ｅｒｒｏｒ）」ステータス（図４）を含む、マシン又はジョブステータスを出力する英数字も含む。
【００２１】
対照的に、プロセッサ２１６／２２４は、第２の表示部２４４に、自動的に、文書処理装置２０４のマシン／ジョブ状態を示すグラフィックアイテムのみを表示させるように適合されている。文書処理装置２０４のマシン／ジョブ状態は、エラー状態、警告状態、アクティブ処理状態、及び処理完了状態に関連し得る。いくつかの例では、グラフィックアイテムは、顔の表情２４６Ａ〜２４６Ｄ（図１〜図４）、工学アイコン及び／又は数学アイコン２４８Ａ〜２４８Ｅ（図５〜図９）などを使用して、これらのマシン／ジョブ状態を示すことができる。
【００２２】
より具体的には、図１では、マシン／ジョブ状態は、ジョブステータス「ジョブ完了（ｊｏｂ  ｃｏｍｐｌｅｔｅ）」であることが、英数字を使用して第１の表示部２４２に示されており、第２の表示部２４４内のグラフィックアイテム２４６Ａもまた、笑顔の表情のグラフィックアイテム２４６Ａを使用して同じ状態を情動的に示している。また、図２では、マシン／ジョブ状態は、マシンステータス「紙詰まり（ｐａｐｅｒ  ｊａｍ）」であることが、英数字を使用して第１の表示部２４２に示されており、第２の表示部２４４内のグラフィックアイテム２４６Ｂもまた、渋面の表情のグラフィックアイテム２４６Ｂを使用して同じ状態を情動的に示している。同様に、図３では、マシン／ジョブ状態は、ジョブステータス「ジョブの処理中（ｐｒｏｃｅｓｓｉｎｇ  ｊｏｂ）」であることが、英数字を使用して第１の表示部２４２に示されており、第２の表示部２４４内のグラフィックアイテム２４６Ｃもまた、集中の表情のグラフィックアイテム２４６Ｃを使用して同じ状態を情動的に示している。図４でも同じ概念が示されており、マシン／ジョブ状態は、マシンステータス「システムエラー（ｓｙｓｔｅｍ  ｅｒｒｏｒ）」であることが、英数字を使用して第１の表示部２４２に示されており、第２の表示部２４４内のグラフィックアイテム２４６Ｄもまた、意識不明の表情のグラフィックアイテム２４６Ｄを使用して同じ状態を情動的に示している。
【００２３】
前述したように、マシンの笑顔アイコン２４６Ａの表示（文書処理ジョブの完了時にマシンの幸福の情動的状態を伝達する）は、ユーザが、プロジェクトを完了したときの自身の現実の情動的感情を想起することによってマシンの（人工的な）「幸福」を共有することを可能にし得る。ユーザとマシンとの経時的な多数の接点でのこの同じ情動体験（人間の過去に経験した現実の情動とマシンの現在の人工的な情動）の「共有」は、少しずつマシンとユーザとの間の増大した情動的な結び付きに向かって作用する。同様に、紙詰まり又は他のエラーを経験したときにマシンが渋面２４６Ｂを表示すると、ユーザは、目標の達成に向かう途中で困難に遭遇したときに経験した同様の情動を想起することができ、ユーザはマシンと情動を共有することを促進され、それにより、結び付きを増大させる。
【００２４】
図５〜図９は、同様にマシン／ジョブ状態を情動的に又はグラフィカルに示すための、代替的な工学アイコン及び／又は数学アイコン２４８Ａ〜２４８Ｅを示す。具体的には、図５は、電池内に残っている電荷の量を示す工学アイコン及び／又は数学アイコン２４８Ａを示している。図６は、準備完了又はジョブ処理状態を示す工学アイコン及び／又は数学アイコン２４８Ｂを示している。図７は、通信ステータスを示す工学アイコン及び／又は数学アイコン２４８Ｃを示している。図８は、マシンエラー状態を示す工学アイコン及び／又は数学アイコン２４８Ｄを示している。図９は、ジョブの完了百分率を示す工学アイコン及び／又は数学アイコン２４８Ａを示す。
【００２５】
図１〜図９に見られるように、第２の表示部２４４は、第１の表示部より小さくてもよく、また異なる寸法（より広い幅など）を有することができる。高さよりも相対的に幅広であることによって、及び床／地面に対して垂直であることによって、第２の表示部２４４の位置、向き、及びサイズは、頂部上にある（かつ頂部とほぼ平行である）第１の表示部２４２よりも、生きている命ある存在（人間、ペットなど）と類似したものになっている。換言すれば、第２の表示部２４４は、ユーザが地面に対して平行に見ているときにユーザに「対面」するようにサイズ決め及び位置付けされ、かつ顔の特徴を表示するための寸法を有するように位置付けられて、第２の表示部２４４がより命ある存在に見えることを可能にする。この向き／位置は、情動を伝達する画面２４４の部分を、ユーザが第１の表示部２４２を見下ろしているときにのみ見るであろう画面２４２の「データ」部と差別化する。
【００２６】
より命ある存在に見えるような位置／向きであることの他に、第２の表示部２４４は、文書処理装置２０４のマシン／ジョブ状態を示すグラフィックアイテムのみを表示し、英数字データは表示せず、これにより、ユーザは、感情表出の表示部分であるものとして第２の表示部２４４に慣れ親しむことが可能になる。換言すれば、マシン／ジョブ状態を示すグラフィックアイテムのみを表示することによって、ユーザは、第２の表示部２４４からの感情的なアイコンを日頃から期待する状態になり得る。これは、ユーザが文書処理デバイス２００／２０４に遭遇するたびに、ユーザが、期待される感情出力を第２の表示部２４４に見ることを可能にし、このことは、ユーザと文書処理デバイス２００／２０４との以前の接触によって生じた情動的なつながりを強化するのに役立つ。そのようなことにより、ユーザとマシンとの間の感情的な結び付きが促進され、強化される。
【００２７】
図１０は、本明細書の例示的な方法を示すフローチャートである。項目１００では、これらの方法は、プロセッサを使用して、文書処理装置のマシン／ジョブ状態を自動的に判定する。項目１０２では、これらの方法は、第１の表示部上にジョブ／ステータスデータを自動的に英数字で表示する。項目１０４では、これらの方法は、第２の表示部のみにマシン／ジョブ状態を示すグラフィックアイテムを表示する。
【００２８】
ここでも、文書処理装置のマシン／ジョブ状態を示すグラフィックアイテムを表示する項目１０４でのプロセスは、顔の表情、工学アイコン及び／又は数学アイコンなどを使用して実行され得る。したがって、項目１０４でのグラフィックアイテムを表示するこのプロセスは、エラー状態、警告状態、アクティブ処理状態、処理完了状態などをグラフィカルに表示することによってマシン／ジョブ状態を示す。
【００２９】
図１１に示すように、本明細書の例示的なシステム及び方法は、異なる物理的な場所２０６に位置する様々なコンピュータ化されたデバイス２００、２０４を含む。コンピュータ化されたデバイス２００、２０４は、印刷サーバ、印刷デバイス、パーソナルコンピュータなどを含むことができ、ローカル又はワイドエリア（有線又は無線）ネットワーク２０２を介して通信する（互いに作動的に接続されている）。
【００３０】
図１２は、コンピュータ化されたデバイス２００を示しており、このデバイスは、本明細書のシステム及び方法と共に使用することができ、例えば、印刷サーバ、パーソナルコンピュータ、ポータブルコンピューティングデバイスなどを含むことができる。コンピュータ化されたデバイス２００は、コントローラ／有形プロセッサ２１６と、有形プロセッサ２１６に、及びコンピュータ化されたデバイス２００の外部のコンピュータ化されたネットワーク２０２に、作動的に接続された通信ポート（入力／出力）２１４と、を含む。また、コンピュータ化されたデバイス２００は、グラフィカルユーザインターフェース（ＧＵＩ）アセンブリ２１２などの少なくとも１つのアクセサリ機能構成要素を含むことができる。ユーザは、グラフィカルユーザインターフェース又は制御パネル２１２からメッセージ、命令、及びメニューオプションを受信し、グラフィカルユーザインターフェース又は制御パネル２１２を介して命令を入力し得る。
【００３１】
入力／出力デバイス２１４は、コンピュータ化されたデバイス２００への、及びそれからの通信のために使用され、（現在知られているか又は将来開発されるかにかかわらず、任意の形態の）有線デバイス又は無線デバイスを含む。有形プロセッサ２１６は、コンピュータ化されたデバイスの様々なアクションを制御する。非一時的な有形のコンピュータ記憶媒体デバイス２１０（光学、磁気、コンデンサベースなどであり得、一時的な信号とは異なる）は、有形プロセッサ２１６によって読み取り可能であり、有形プロセッサ２１６が実行して、コンピュータ化されたデバイスが、本明細書に記載される機能など、その様々な機能を実行することを可能にする命令を記憶する。したがって、図１２に示すように、本体ハウジングは、交流（ＡＣ）源２２０から電力供給部２１８によって供給された電力で動作する１つ以上の機能構成要素を有する。電力供給部２１８は、共通電力変換ユニット、電力貯蔵素子（例えば、電池など）などを含むことができる。
【００３２】
図１３は、印刷デバイス２０４であるコンピュータ化されたデバイスを示しており、このデバイスは、本明細書のシステム及び方法と共に使用することができ、例えば、プリンタ、複写機、多機能マシン、多機能デバイス（ＭＦＤ）などを含むことができる。印刷装置２０４は、特殊な画像プロセッサ（画像データを処理することに特殊化されているため、汎用コンピュータとは異なる）２２４に作動的に接続された上記の多くの構成要素及び少なくとも１つのマーキングデバイス（印刷エンジン）２４０、連続媒体又は媒体のシートをシート供給部２３０からマーキングデバイス２４０に供給するように位置付けられた媒体経路２３６などを含む。印刷エンジン２４０から様々なマーキングを受容した後、媒体のシートは、様々な印刷されたシートを折り畳む、ステープル留めする、振り分けることなどができるフィニッシャ２３４に任意選択的に進むことができる。また、印刷デバイス２０４は、やはり外部電力源２２０から（電力供給部２１８を介して）供給された電力で動作する、少なくとも１つのアクセサリ機能構成要素（スキャナ／文書ハンドラ２３２（自動文書送込み装置（ＡＤＦ））など）を含むことができる。
【００３３】
１つ以上の印刷エンジン２４０は、現在知られているか又は将来開発されるかにかかわらず、マーキング材料（トナー、インクなど）を連続媒体又は媒体のシートに塗布する任意のマーキングデバイスを例示することを意図しており、例えば、感光体ベルト若しくは中間転写ベルトを使用するデバイス又は印刷媒体に直接印刷するデバイス（例えば、インクジェットプリンタ、リボン系接触式プリンタなど）を含むことができる。
【００３４】
前述したように、プロセッサ２２４は、文書処理装置２００／２０４のマシン／ジョブ状態を自動的に判定する。プロセッサ２２４は、第１の表示部２４２に、ジョブ／ステータスデータを自動的に表示させ、第２の表示部２４４に、マシン／ジョブ状態を示すグラフィックアイテム２４６Ａ〜２４６Ｄ、２４８Ａ〜２４８Ｅのみを自動的に表示させる。ここでも、文書処理装置２００／２０４のマシン／ジョブ状態を示すグラフィックアイテム２４６Ａ〜２４６Ｄ、２４８Ａ〜２４８Ｅを表示するプロセスは、顔の表情、工学アイコン及び／又は数学アイコンなどを使用して実行され得る。
【００３５】
いくつかの例示的な構造が添付の図面に示されているが、当業者であれば、図面は簡略化された概略図であり、以下に提示される特許請求の範囲は、図示されていないが、そのようなデバイス及びシステムと共に一般的に利用される、より多くの（場合によっては、さほど多くない）特徴を包含することを理解するであろう。したがって、出願人は、以下に提示される特許請求の範囲が添付の図面によって限定されることを意図するものではなく、その代わりに添付の図面は、単に、特許請求される特徴を実装することができるいくつかの方法を例示するために提供されるにすぎない。
【００３６】
多くのコンピュータ化されたデバイスが上述されている。チップベースの中央処理装置（ＣＰＵ）、入力／出力デバイス（グラフィックユーザインターフェース（ＧＵＩ）、メモリ、コンパレータ、有形プロセッサなどを含む）を含むコンピュータ化されたデバイスは、製造業者によって製造された周知かつ容易に入手可能なデバイスである。そのようなコンピュータ化されたデバイスは、一般に、入力／出力デバイス、電力供給部、有形プロセッサ、電子記憶メモリ、配線などを含んでおり、これらの詳細は、読者が本明細書に記載されるシステム及び方法の顕著な態様に集中することを可能にするために、本明細書では省略されている。
【００３７】
本明細書で使用するとき、用語「プリンタ」又は「印刷デバイス」は、任意の目的のために印刷出力機能を実行する、デジタル複写機、製本機、ファクシミリマシン、多機能マシンなどの任意の装置を包含する。プリンタ、印刷エンジンなどの詳細は周知であり、本開示を提示される顕著な特徴に集中させ続けるために、本明細書に詳細には記載されていない。本明細書のシステム及び方法は、カラー、モノクロで印刷する、又はカラー若しくはモノクロの画像データを扱う、システム及び方法を包含することができる。前述のシステム及び方法は全て、静電複写法及び／又は乾式複写法のマシン及び／又はプロセスに特に適用可能である。
【００３８】
加えて、本明細書で使用される「右」、「左」、「縦の」、「水平の」、「頂部」、「底部」、「上側の」、「下側の」、「〜の下に」、「〜より下に」、「下にある」、「〜の上方に」、「上にある」、「平行の」、「垂直の」などの用語は、（特に記載のない限り）それらが図面内で方向付けられ、示されているときの相対的な位置であると理解される。「触れている」、「〜上に」、「直接接触して」、「当接している」、「直接隣接した」などの用語は、少なくとも１つの要素が別の要素に物理的に接触することを意味する（他の要素が記載の要素を分離させていない）。更に、「自動化された」又は「自動的に」という用語は、プロセスが（マシン又はユーザによって）開始されると、１つ以上のマシンが、任意のユーザからの更なる入力なしにプロセスを実行することを意味する。加えて、「〜するように適合された」などの用語は、デバイスが、本明細書に記載される処理において特定の点で特定の動作又は機能を自動的に実行する特殊な内部又は外部構成要素を有するように特に設計されていることを意味し、このような特殊な構成要素は、本明細書に示される処理点で指定された動作／機能を（場合によっては、操作者のいかなる入力もアクションもなしで）実行するように物理的に成形され、位置付けられている。本明細書の図面中、同じ識別番号は、同じ又は類似の項目を識別する。
【図１】
2020102205.tif 000003
【図２】
2020102205.tif 000004
【図３】
2020102205.tif 000005
【図４】
2020102205.tif 000006
【図５】
2020102205.tif 000007
【図６】
2020102205.tif 000008
【図７】
2020102205.tif 000009
【図８】
2020102205.tif 000010
【図９】
2020102205.tif 000011
【図１０】
2020102205.tif 000012
【図１１】
2020102205.tif 000013
【図１２】
2020102205.tif 000014
【図１３】
2020102205.tif 000015